(57)【要約】【課題】ベルト転向部における微細な粉粒状物の飛散を防止して作業環境を綺麗な環境に保持させると共に設備費用を低減させる防塵型ベルトコンベアとこれに用いる集塵装置を提供する。【解決手段】本発明による防塵型ベルトコンベア１は、ベルト転向部２の下方に配置されて落下物６を収集する中空フード３と、中空フードの内部に装備され落下物に衝撃を与える邪魔板１１、１２と、中空フード３の側部に設けられ邪魔板と落下物とから発生する粉塵７、８を導く吸引口１３から成る集塵装置１５及び吸引口１３に接続される集塵機５から構成し、邪魔板を中空フードの側部と下端の開口部に設けることを特徴としている。【選択図】  図１
2004331356.tif 000002
【特許請求の範囲】
【請求項１】
ベルトコンベアのベルト転向部に集塵装置を配置して成る防塵型ベルトコンベアであって、ベルト転向部の下方に配置されて落下物を収集する中空フード、該中空フードの内部に装備され落下物に衝撃を与える邪魔板、該中空フードの側部に設けられ邪魔板と落下物とから発生する粉塵を導く吸引口及び該吸引口に接続される集塵機から構成されることを特徴とする防塵型ベルトコンベア。
【請求項２】
邪魔板が、中空フードの側部と下端の開口部に設けられることを特徴とする請求項１に記載の防塵型ベルトコンベア。
【請求項３】
ベルトコンベアからの落下物を収集する中空フード、該中空フードの内部に装備され落下物に衝撃を与える邪魔板及び該中空フードの側部に設けられ邪魔板と落下物とから発生する粉塵を導く吸引口から構成される請求項１又は２に記載のベルトコンベアに用いる集塵装置。
【請求項４】
邪魔板が、中空フードの側部に設けられる案内板と下端の開口部に設けられる三角板とから構成されることを特徴とする請求項３に記載の集塵装置。
【発明の詳細な説明】
【０００１】
【発明の属する技術分野】
本発明は、防塵型ベルトコンベアとこれに用いる集塵装置に関し、特に、ベルト転向部と処理搬送物が落下する周辺区域における微細な粉粒状物の飛散を防止して作業環境を綺麗な環境に保持させると共に設備費用を低減させる防塵型ベルトコンベアとこれに用いる集塵装置に関する。
【０００２】
【従来の技術】
低価格な輸送機であるベルトコンベアは、各種の工場や設備で多く採用されているが、輸送物が砂やコンクリートガラ等の場合や粉状物を含む場合には、ベルト面に付着した粉鉱等の粉粒状物がベルトコンベアの転向や振動によって落下、飛散してコンベア周囲の環境を著しく悪化させる。特に、都市部の作業所では近隣や環境に対する影響が大きくなることから、ベルトコンベア周囲への著しい発塵をどのように防止するかはベルトコンベアにおける重要な課題となっている。
【０００３】
そこで、バラ物搬送用ベルトコンベアにおいてもベルト転向部での防塵については、ベルトコンベアを通過させるように囲繞した回転リング体の上半部両面を回転リング体と遊離させたテントで被うとともに、ベルトコンベアの反対側ベルト面の下方空間に掻取部材からの粉塵飛散防止膜材を配設することで、ベルトコンベアの付着物を回収する際の微細な粉粒状物の飛散を防止して作業環境を綺麗な環境に保持させる提案も行われている。（例えば、特許文献１を参照）
【０００４】
又、掻取板の直後にシャワー装置を配置して反転側ベルト面に水を吹き付けることでベルト面に残存付着している粉粒状物を除去する方法も採用されているが、上記提案のようなベルト転向部だけでの掻き取り操作では充分な除去が困難であったり、シャワー水の事後処理に要する設備費用が高価になるという問題があった。
【０００５】
【特許文献１】
特開平６−２６３２３５号公報（段落番号「００２０」〜「００２４」の欄、図１〜４）
【０００６】
【発明が解決しようとする課題】
本発明は、上記の状況に鑑みてその改善のために提案するものであり、ベルト転向部と処理搬送物が落下する周辺区域における微細な粉粒状物の飛散を防止して作業環境を綺麗な環境に保持させると共に設備費用を低減させる防塵型ベルトコンベアとこれに用いる集塵装置の提供を目的にしている。
【０００７】
【課題を解決するための手段】
本発明による防塵型ベルトコンベアは、ベルトコンベアのベルト転向部に集塵装置を配置して成る防塵型ベルトコンベアにおいて、ベルト転向部の下方に配置されて落下物を収集する中空フードと、中空フードの内部に装備され落下物に衝撃を与える邪魔板と、中空フードの側部に設けられ邪魔板と落下物とから発生する粉塵を導く吸引口及び吸引口に接続される集塵機から構成され、邪魔板を中空フードの側部と下端の開口部に設けることを特徴としており、ベルト転向部と処理搬送物が落下する周辺区域における微細な粉粒状物の飛散を防止して作業環境を綺麗な環境に保持し、ベルトコンベアの設備費用を低減させている。
【０００８】
又、本発明による集塵装置は、上記ベルトコンベアに用いる集塵装置であって、ベルトコンベアからの落下物を収集する中空フードと、中空フードの内部に装備され落下物に衝撃を与える邪魔板及び中空フードの側部に設けられ邪魔板と落下物とから発生する粉塵を導く吸引口から構成され、邪魔板を中空フードの側部に設けられる案内板と下端の開口部に設けられる三角板とから構成することを特徴としており、ベルト転向部と処理搬送物が落下する周辺区域における微細な粉粒状物の飛散を防止して作業環境を綺麗な環境に保持しながら設備費用を低減させている。
【０００９】
【発明の実施の形態】
本発明による防塵型ベルトコンベアは、ベルトコンベアのベルト転向部に在って下方に配置されて落下物を収集する中空フードと、中空フードの側部と下端の開口部のそれぞれに装備されて落下物に衝撃を与える邪魔板と、落下物と邪魔板とから発生する粉塵を導く吸引口及び吸引口に接続される集塵機から構成されている。
以下に、本発明による防塵型ベルトコンベアの実施の形態を図面に基づいて詳細に説明する。
【００１０】
図１は、本発明による防塵型ベルトコンベアの実施の形態を示す斜視図であり、ベルトコンベア１のベルト転向部２には、その下方に中空フード３が配置されている。中空フード３には、その側部に伸縮自在のパイプ４が接続されており、その先端を集塵機５に結合している。
【００１１】
ベルトコンベア１で搬送されてくる砂やコンクリートガラ等の搬送物６は、図示のようにベルト転向部２から中空フード３に落下投入されるが、この際に発せられる粉塵７と後述する手法で搬送物６から積極的に分離される剥離粉塵８とは、集塵機５によってパイプ４を通じて収集される。従って、中空フード３から落下する処理搬送物９からは、何らの粉塵も発せられることなくホッパー１０に投下されることになる。
【００１２】
図２は、中空フード３において搬送物６から剥離粉塵８を分離させる手法を説明するための中空フード３における部分的に断面にした正面図である。
ベルト転向部２から中空フード３に落下される搬送物６は、側部に配置の邪魔板１１に衝突すると同時に下方に配置されている邪魔板１２の方向に集められている。集められた搬送物６は、邪魔板１１との衝突によって剥離粉塵８を発しながら邪魔板１２の上に落下することになるので、邪魔板１２との衝突によって搬送物６からは更に多くの剥離粉塵８が分離されることになり、邪魔板１２を通過した処理搬送物９からは、付着状態から剥離するような粉塵が最早存在しないことになる。
【００１３】
そして、搬送物６からの粉塵７と邪魔板１１、１２によって分離される剥離粉塵８とは、中空フード３に設けられている吸引口１３からパイプ４に導かれて集塵機５に収集されることから、ベルト転向部２の近傍と処理搬送物９が落下する周辺区域においては、粉塵の発生が無くなる形態に至る。
【００１４】
尚、本実施の形態では、中空フードを終端のベルト転向部に配置して落下される搬送物を受けているが、中空フードの配置は、これに限定されるものでなく配列されるベルトコンベア群の結合部に随時に設置可能であり、作業環境の改善に利することができるものである。
【００１５】
以上の構成によって、本発明による防塵型ベルトコンベアは、ベルト転向部と処理搬送物が落下する周辺区域における微細な粉粒状物の飛散を防止するものであり、作業環境を綺麗な環境に保持すると共にベルトコンベアの設備費用も低減させている。
【００１６】
次ぎに、上記ベルトコンベアに用いている本発明の集塵装置について説明する。
本発明による集塵装置は、ベルトコンベアからの落下物を収集する中空フードと、中空フードの内部に装備され落下物に衝撃を与える邪魔板及び中空フードの側部に設けられ邪魔板と落下物とから発生する粉塵を導く吸引口から構成され、邪魔板を中空フードの側部に設けられる案内板と下端の開口部に設けられる三角板とから構成することを特徴としている。
以下に、本発明による集塵装置の実施の形態を図３、４に基づいて詳細に説明する。
【００１７】
図３は、本発明による集塵装置の実施の形態を示す正面図（ａ）と平面図（ｂ）であり、集塵装置の全体像を示している。
集塵装置１５は、ベルトコンベアからの落下物である搬送物を収集するために中空矩形状の中空フード３で構成されている。中空フード３の側部内面１６には、傾斜状の案内板として邪魔板１１、１１を装備しており、搬送物を一旦受け止めると同時に、中央部分に集めて下方の邪魔板１２に向けるように配置している。中空フード３の下端開口部１７にも搬送物に衝撃を与えるための邪魔板１２が設置されており、本実施の形態では邪魔板１２を三角形に形成しておくことで邪魔板１１、１１から導かれてくる搬送物を受けるように構成している。
【００１８】
従って、ベルトコンベアで搬送されてくる砂やコンクリートガラ等の搬送物は、中空フード３に落下投入されることで、邪魔板１１、１１と邪魔板１２に衝突を繰り返すことになり、搬送物に付着している塵埃等は、衝撃によって搬送物から積極的に分離されて剥離粉塵として中空フード３内に浮遊することになる。
【００１９】
又、中空フード３の正面側部には吸引口１３が設けられており、パイプを介在させて集塵機に接続出来るように鋼製している。従って、集塵機を稼働させている場合には、落下する搬送物から発生する粉塵と両邪魔板１１、１２から発生する剥離粉塵とがパイプを通じて集塵機に導かれて収集廃棄することを可能にしており、結果的に中空フード３から落下する処理搬送物からは、何らの粉塵も発生するものでない。
【００２０】
図４は、図３（ａ）の正面図を（４）−（４）矢視した断面図であり、上記の両邪魔板１１、１２の配置関係と吸引口１３の位置関係を明確にしている。
即ち、邪魔板１１、１１は、中空フード３の側部内面１６に上部開口面１８と並行に配置されることで、中空フード３に落下投入される砂やコンクリートガラ等の搬送物を衝撃的に受け止めており、邪魔板１２は、邪魔板１１、１１で導かれてくる搬送物を全面で衝撃的に受け止めるように中空フード３の下端開口部１７に配置している。
【００２１】
そして、吸引口１３は、中空フード３の正面側部の所定位置に配置されることで、ベルトコンベアのベルト転向部から中空フード３に落下してくる搬送物からの粉塵と各邪魔板１１、１２によって分離される剥離粉塵とは、パイプに導かれて集塵機に収集されることから、ベルト転向部の近傍と処理搬送物が落下する周辺区域には、粉塵を発生させることがないものである。
【００２２】
以上のように、本発明による防塵型ベルトコンベアは、簡易な構成によってベルト転向部と処理搬送物が落下する周辺区域における微細な粉粒状物の飛散を防止するものであるから、作業環境を綺麗な状態に保持すると共にベルトコンベアの設備費用も廉価に低減させている。
【００２３】
以上、本発明を実施の形態に基づいて詳細に説明してきたが、本発明による防塵型ベルトコンベアとこれに用いる集塵装置は、上記実施の形態に何ら限定されるものでなく、中空フードの形態、邪魔板の形状や材質及び邪魔板や吸引口の配置位置等に関して、本発明の趣旨を逸脱しない範囲において、出願時において既に公知のものを適用することによる種々の変更が可能であることは、当然のことである。
【００２４】
【発明の効果】
本発明による防塵型ベルトコンベアは、ベルトコンベアのベルト転向部に集塵装置を配置して成る防塵型ベルトコンベアにおいて、ベルト転向部の下方に配置されて落下物を収集する中空フードと、中空フードの内部に装備され落下物に衝撃を与える邪魔板と、中空フードの側部に設けられ邪魔板と落下物とから発生する粉塵を導く吸引口及び吸引口に接続される集塵機から構成し、邪魔板を中空フードの側部と下端の開口部に設けることを特徴としているので、ベルト転向部と処理搬送物が落下する周辺区域における微細な粉粒状物の飛散を防止して作業環境を綺麗な環境に保持し、ベルトコンベアの設備費用を低減させる効果を発揮している。
【００２５】
又、本発明による集塵装置は、ベルトコンベアからの落下物を収集する中空フードと、中空フードの内部に装備され落下物に衝撃を与える邪魔板及び中空フードの側部に設けられ邪魔板と落下物とから発生する粉塵を導く吸引口から構成し、邪魔板を中空フードの側部に設けられる案内板と下端の開口部に設けられる三角板とから構成することを特徴としているので、ベルト転向部と処理搬送物が落下する周辺区域における微細な粉粒状物の飛散を防止して作業環境を綺麗な環境に保持しながら設備費用を低減させる効果を発揮している。
【図面の簡単な説明】
【図１】本発明による防塵型ベルトコンベアの実施の形態を示す斜視図
【図２】本発明による防塵型ベルトコンベアの中空フードを部分断面にした正面図
【図３】本発明による集塵装置の実施の形態を示す正面図（ａ）と平面図（ｂ）
【図４】図３（ａ）を（４）−（４）矢視した断面図
【符号の説明】
１  ベルトコンベア、  ２  ベルト転向部、  ３  中空フード、
４  パイプ、  ５  集塵機、  ６  搬送物、  ７  粉塵、  ８  剥離粉塵、
９  処理搬送物、  １０  ホッパー、  １１、１２  邪魔板、
１３  吸引口、  １５  集塵装置、  １６  側部内面、  １７  下端開口部、
１８  上部開口面、
【図１】
2004331356.tif 000003
【図２】
2004331356.tif 000004
【図３】
2004331356.tif 000005
【図４】
2004331356.tif 000006